(57)【特許請求の範囲】
【請求項１】
電源ＯＮボタンとして、情報処理装置用とＴＶ用電源ＯＮを識別する機能として２つ以上の電源ボタンを備えたＴＶ機能をもつ情報処理装置において、
前記ＴＶ用電源ボタンでＴＶの電源をＯＮした場合に、情報処理装置機能を実行する部分の電源供給を行うか否かを選択設定しておく手段を具備し、前記ＴＶ用電源ボタンでＴＶの電源をＯＮの後、前記情報処理装置用の電源ボタンを押した場合に、前記選択設定が「電源供給を行わない」のときは、前記情報処理装置の起動を行い表示はＴＶ用表示とし、前記選択設定が「電源供給を行う」のときは、情報処理装置表示に切り替える手段を具備することを特徴とするＴＶ機能をもつ情報処理装置。
【請求項２】
請求項１に記載のＴＶ機能をもつ情報処理装置において、
ＰｏｗｅｒＯＦＦ状態で、前記ＴＶ用電源ボタンを操作すると、前記選択設定内容が、どのような選択になっているか識別できる手段を具備することを特徴とするＴＶ機能をもつ情報処理装置。
【請求項３】
請求項１に記載のＴＶ機能をもつ情報処理装置において、
前記機能選択をユーザに識別できるようにする視認手段とを備え、前記視認手段は、電源ＯＮ時の機能選択により選択されている、ＴＶ機能のみＯＮ、情報処理装置機能とＴＶ機能の両方ＯＮしてＴＶ機能でのＴＶ表示、情報処理装置として電源ＯＮ、のうちの１つをユーザに知らせることを特徴とするＴＶ機能をもつ情報処置装置。
【請求項４】
請求項１に記載のＴＶ機能をもつ情報処理装置において、
ＴＶ機能で設定された音量、チャンネル、入力ソースと、情報処理装置機能で設定された音量、チャンネル、入力ソースの整合を取る手段を具備することを特徴とするＴＶ機能をもつ情報処理装置。
【発明の詳細な説明】
【０００１】
【発明の属する技術分野】
本発明は、ＴＶ機能を備えた情報処理装置に関するものである。
【０００２】
【従来の技術】
従来技術において情報処理装置のＴＶ機能は、情報処理装置の特定のアプリケーションとして機能する方法や、情報処理装置と別々に機能するという方法で実行されている。
図１３は、従来のＴＶ機能を特定アプリケーションとして機能させる情報処理装置の構成を示すブロック図である。同図において、
４０１はＣＰＵで、システム全体の制御を司る部分である。
４０２はＣＨＩＰ  ＳＥＴで、ＣＰＵ（４０１）とメモリ、その他ロジックとの間を接続するものである。
４０３はＭａｉｎ  Ｍｅｍｏｒｙで、ＣＰＵ（４０１）が管理するメモリで、プログラムやデータ等が記憶される。
４０４はＢＩＯＳ（Ｂａｓｉｃ  Ｉｎｐｕｔ  Ｏｕｔｐｕｔ  Ｓｙｓｔｅｍ）で、情報処理装置の最も基本的な動作に関する設定及びプログラムが格納されており、情報処理装置の電源ＯＮ時に、読み込まれて動作する。
４０５は電源制御ＩＣで、情報処理装置の電源供給を行う部分を制御する１チップマイコン等で構成されたロジックで、一番最初に動作するロジックになる。４０６は表示コントローラで、情報処理装置が表示する際の制御ロジックである。
【０００３】
４０７はＶｉｄｅｏ  Ｍｅｍｏｒｙで、表示コントローラ（４０６）が管理するメモリで、表示データが記憶されている。このメモリは、表示コントローラ（４０６）に内蔵されているものや、Ｍａｉｎ  Ｍｅｍｏｒｙ（４０３）と共用されている場合もある。
４０８は記憶装置で、大容量のプログラムやＯＳを格納している部分で、ＨＤＤや大容量Ｆｌａｓｈメモリ等により構成される。
４０９はサウンドＬＳＩで、情報処理装置の音声の入出力を制御するロジックである。
４１０はその他回路で、キーボードやマウス等の入力機器の制御やパラレル、シリアル、ＵＳＢ等の入出力機器のインタフェース部分である。
４１１はＴＶチューナで、アンテナ入力より選択された特定の周波数部分をＶｉｄｅｏ信号と音声信号に分けて出力する。
４１２はＮＴＳＣデゴーダで、ＴＶチューナ（４１１）より入力されるＶｉｄｅｏ信号を情報処理装置で扱えるデジタルデータに変換する。
４１３は入力装置で、キーボード、マウス、リモコン等のユーザが扱う入力機器を示す。
４１４は表示装置で、ユーザが視認するＣＲＴ／ＬＣＤ等の表示装置を示す。
４１５は電源ＳＷで、ユーザが扱う電源ＳＷを示す。
【０００４】
図１３により、この従来の情報処理装置の処理動作を説明する。
電源ＳＷ（４１５）を操作することにより、電源制御ＩＣ（４０５）は、情報処理装置各ブロックに電源を供給し、ＣＰＵ（４０１）は、ＢＩＯＳ（４０４）を読み込み、各ブロックの初期設定、制御を、ＣＨＩＰ  ＳＥＴ（４０２）及び、ＣＨＩＰ  ＳＥＴ（４０２）を介して行う。
なお、ＢＩＯＳ（４０４）をＭａｉｎ  Ｍｅｍｏｒｙ（４０３）にすべて読み込み動作する場合もある。
その後、記憶装置（４０８）より、Ｂｏｏｔ−ＯＳを起動する。
そして、ＯＳの起動が終了すると、記憶装置（４０８）に格納されているアプリケーションの起動が可能になる。
【０００５】
その状態で、入力装置（４１３）を操作することにより、その他回路（４１０）、ＣＨＩＰ  ＳＥＴ（４０２）を介して、ＣＰＵ（４０１）が、解釈を行い、記憶装置（４０８）よりＴＶ表示を行うアプリケーションプログラムを、Ｍａｉｎ  Ｍｅｍｏｒｙ（４０３）に読込み、ＣＰＵ（４０１）がプログラムにより、ＴＶチューナ（４１１）、ＮＴＳＣデコーダ（４１２）、サウンドチップ（４０９）、表示コントローラ（４０６）等を制御し、ＴＶ映像データを表示コントローラ（４０６）、ＴＶ音声データをサウンドチップ（４０９）に転送することにより、ユーザがＴＶ映像を見ることができる。
この場合、ＮＴＳＣデコーダ（４１２）からＣＨＩＰ  ＳＥＴ（４０２）を介して映像データを転送しているが、ＮＴＳＣデコーダ（４１２）から、表示コントローラ（４０６）に直接映像データを転送するシステムもある。
【０００６】
図１４は、従来のＴＶ機能を情報処理装置とは、別々に機能させる情報処理装置の構成を示すブロック図である。
情報処理装置は、情報処理装置ブロック（５００）と、表示装置ブロック（５２０）（ＴＶ表示が可能）からなり、各ブロックは、以下の構成要素を備えている。
５２１はＴＶチューナ、５２２はＮＴＳＣデコーダ、５２４は表示装置、５２６は入力装置で、図１３のものと同一である。
５２３は表示／システム制御部で、表示装置の全体制御、表示の制御、表示入力の切替を制御する。
５２５はＡＭＰ部で、表示装置の音声の出力を増幅するロジックである。
【０００７】
図１４により、この情報処理装置の処理動作を説明する。
情報処理装置（５００）自体の構成要素及び動作は、図１２の装置におけるものと同様なので説明は省略する。
入力装置（５２６）により、表示装置の電源ＯＮを行うと、表示／システム制御部（５２３）により、ＴＶチューナ（５２１）、ＮＴＳＣデコーダ（５２２）、ＡＭＰ部（５２５）を設定し、ＴＶ映像をＴＶチューナ（５２１）、ＮＴＳＣデコーダ（５２２）を介して表示／システム制御部（５２３）に入力し、そこで、表示部（５２４）に合わせたフォーマットに変換して表示する。
また、音声は、ＴＶチューナ（５２１）より出力されたデータをＡＭＰ部（５２５）よりスピーカに出力する。
情報処理装置（５００）の表示を出力するときは、入力装置（５２６）より表示／システム制御部（５２３）より出力される表示データを切り替えることにより行うことで、実行している。
以上、ＴＶ表示がＯＮ状態で行われる場合の説明を行ったが、電源ＯＮ状態でどちらの表示が出力されるかは、電源ＯＦＦ時に使っていた状態にする等により決められているので、電源ＯＮで情報処理装置の表示を行い、切替えてＴＶ表示を行うことも可能である。
【０００８】
【発明が解決しようとする課題】
上記した従来技術では、ＴＶ表示を行う場合に、情報処理装置自体を動作させる必要があり、特にＷｉｎｄｏｗｓＯＳのパーソナルコンピュータ等では、ＯＳ自体の起動時間が長くなり、ユーザにとって不満となっている。また、単純にＴＶ機能が、独立して動作するだけでは、ＴＶ放送を情報処理装置に入力、加工、蓄積することが不可能で、ＴＶと情報処理装置が、２台併設されているのと同じになってしまい、操作が不便である。
一方、ＴＶと情報処理装置を、同時に電源を入れることもできるが、ＴＶ表示が行われている場合に、情報処理装置の起動状態や、情報処理装置の画面を見ることができなく、不都合である。
更に、ＡＤＡＭＳ／ＢＩＴＣＡＳＴ等の受信を行うには、一定時間受信し続けなければならず、チャンネルを変えることができなく、情報を受信するときは、番組視聴に不便な構成になっている。
【０００９】
本発明は、上記したような点に鑑み、ユーザが不便に感じる事項を改善し、ユーザに使い勝手の良いＴＶ機能をもつ情報処理装置を提供することを目的とする。
【００１０】
【課題を解決するための手段】
本発明は、前記目的を達成するために、ＴＶ表示可能な情報処理装置として、情報処理装置用とＴＶ用の電源ＯＮを識別する手段、情報処理装置機能ブロックとＴＶ機能ブロックの電源供給を分離、制御する手段、ＴＶ電源ＯＮ時にどのような起動制御にするのかの設定を行う手段、ＴＶ電源ＯＮ時にどのような起動制御にするかの設定を格納する手段、ＴＶ表示／情報処理装置表示を切替えて表示する手段を備えたものである。
【００１２】
請求項１の発明は、電源ＯＮボタンとして、情報処理装置用とＴＶ用電源ＯＮを識別する機能として２つ以上の電源ボタンを備えたＴＶ機能をもつ情報処理装置において、前記ＴＶ用電源ボタンでＴＶの電源をＯＮした場合に、情報処理装置機能を実行する部分の電源供給を行うか否かを選択設定しておく手段を具備し、前記ＴＶ用電源ボタンでＴＶの電源をＯＮの後、前記情報処理装置用の電源ボタンを押した場合に、前記選択設定が「電源供給を行わない」のときは、前記情報処理装置の起動を行い表示はＴＶ用表示とし、前記選択設定が「電源供給を行う」のときは、情報処理装置表示に切り替える手段を具備することを特徴とする。
【００１７】
更に、請求項２の発明は、請求項１に記載のＴＶ機能をもつ情報処理装置において、ＰｏｗｅｒＯＦＦ状態で、前記ＴＶ用電源ボタンを操作すると、前記選択設定内容が、どのような選択になっているか識別できる手段を具備することを特徴とする。
【００１９】
更に、請求項３の発明は、請求項１に記載のＴＶ機能をもつ情報処理装置において、前記機能選択をユーザに識別できるようにする視認手段とを備え、前記視認手段は、電源ＯＮ時の機能選択により選択されている、ＴＶ機能のみＯＮ、情報処理装置機能とＴＶ機能の両方ＯＮしてＴＶ機能でのＴＶ表示、情報処理装置として電源ＯＮ、のうちの１つをユーザに知らせることを特徴とする。
【００２２】
更に、請求項４の発明は、請求項１に記載のＴＶ機能をもつ情報処理装置において、ＴＶ機能で設定された音量、チャンネル、入力ソースと、情報処理装置機能で設定された音量、チャンネル、入力ソースの整合を取る手段を具備することを特徴とする。
【００２３】
【発明の実施の形態】
（実施例１）
図１は、本発明のＴＶ機能をもつ情報処理装置の一実施例の構成を示すブロック図である。
本発明のＴＶ機能をもつ情報処理装置は、情報処理機能ブロックと、ＴＶ機能ブロックからなり、各ブロックの内容は、次のようである。なお、以下、図１２及び１３に示した従来技術における構成要素と同じものについては、冗長となるので、なるべく説明を省略する。
１０１はＣＰＵ、１０２はＣＨＩＰ  ＳＥＴ、１０３はＭａｉｎ  Ｍｅｍｏｒｙ、１０４はＢＩＯＳ、１０５は電源制御ＩＣである。
【００２４】
図２は、この電源制御ＩＣ（１０５）の構成を示すブロック図であり、詳細については図面を参照されたい。
１０６は情報装置用表示コントローラで、情報処理装置が表示する際の制御ロジックで、後述のＮＴＳＣデコーダ（１１２）からのデジタルデータを直接入力できる。
１０７はＶｉｄｅｏ  Ｍｅｍｏｒｙで、情報装置用表示コントローラ（１０６）が管理するメモリで、表示データが記憶されている。このメモリは、情報装置用表示コントローラ（１０６）に内蔵されているものや、Ｍａｉｎ  Ｍｅｍｏｒｙ（１０３）と共用されている場合もある。
１０８は記憶装置、１０９はサウンドＬＳＩ、１１０はその他回路、１１１はＴＶチューナ、１１２はＮＴＳＣデコーダである。
【００２５】
１１３はＡＭＰ部で、音声データを増幅し、スピーカに出力すると共に、入力信号の選択を行う。
１１４は音声ＧＡＴＥで、ＴＶチューナ（１１１）、あるいはＶｉｄｅｏ、Ｓ−Ｖｉｄｅｏ入力端子から入力された音声データをサウンドＬＳＩに出力するかどうかを制御する。
１１５は表示コントローラで、後述の表示装置（１１９）への表示データの出力のための変換回路を含み、表示入力の切替を制御する。
１１６はＧＡＴＥで、ＮＴＳＣデコーダ（１１２）からの映像データを情報装置用表示コントローラ（１０６）に出力するかどうかを制御する。
１１７は入力装置、１１８はＳＷで、ユーザが操作するＳＷやリモコンを示し、１１９は表示装置、１２０はスピーカ、１２１は視認装置で、ユーザが何かを識別できるＬＥＤや小型の液晶装置を示す。
【００２６】
図３は、図１中の、表示コントローラ（１１５）の構成を示すブロック図である。
図において、２０１は外部Ｉ／Ｆ部で、電源制御ＩＣ（１０５）とコマンド等のやりとりを行うインタフェースになっている。
２０２はＡＤＣ  Ｉ／Ｆ部で、情報処理装置機能ブロックからの表示データがアナログＲＧＢで出力される際に、利用するＩ／Ｆで、入力されるアナログＲＧＢ，ＨＳ，ＶＳよりデジタルデータのＲＧＢ，ＨＳ，ＶＳデータ、表示ＣＬＫに変換する。
２０３はＬＣＤ  Ｉ／Ｆ部で、情報処理装置機能ブロックからの表示データがＬＣＤ用の出力の場合に利用するＩ／Ｆで、入力される信号により、デジタルＲＧＢ，Ｈｓｙｎｃ，Ｖｓｙｎｃ，Ｄｉｓｐｅｎ，ＤＯＴＣＬＫに変換する。入力方式としては、ＴＭＤＳ方式、ＬＶＤＳ方式、直接のデジタルＲＧＢ方式等があり、ロジック（ＬＳＩの外部端子等）で選択できる。
【００２７】
２０４はＲＧＢ  Ｘ方向縮小部で、入力されたＲＧＢデータをＸ軸方向に１／２に縮小することが可能なロジックであり、縮小方法としては、単純間引きや、平均等の様々な方法があり、このブロックの出力は、１／２縮小もしくは、そのままの出力が選択可能になっている。出力の選択や縮小方法の選択は、外部Ｉ／Ｆ部（２０１）、内部コマンドバスを介して、外部より操作できる。
２０５は２Ｌｉｎｅバッファ部で、入力されたＸ方向縮小データを２ライン分バッファすることができるブロックである。縮小されていない場合は、バッファせずに出力する（内部コマンドバスにより縮小の有無を判断できる）。
２０６はＮＴＳＣ入力＆メモリＩ／Ｆ部で、ＮＴＳＣデコーダ（１１２）からのデジタルデータ（データ量削減のため、ＹＵＶデータとを利用する）を後述する内部メモリ（２０７）に書き込む機能と、出力に合わせたタイミングで内部メモリ（２０７）からＹＵＶデータを読み出し、解像度変換部（２０８）に出力する機能がある。外部Ｉ／Ｆ部（２０１）、内部バスを介してどの座標値に合わせて読み出しを行うか、どの速度で行うか等を外部より操作することができる。
２０７は内部メモリで、６４０×２４０×８のＹ（輝度）データ、３２０×２４０×８のＵ，Ｖ（色差）データを２画面分持つメモリで、外付けでも構わない。
【００２８】
２０８は解像度変換部で、入力されたＹＵＶデータを任意に解像度変換を行うロジックで構成されており、解像度変換には、線形補間等の方式があり、その方法や６４０×２４０に対する出力解像度の設定が可能になっている。外部Ｉ／Ｆ部（２０１）、内部バスを介して解像度変換方式や出力解像度等を外部より操作することができる。
２０９はＹＵＶ／ＲＧＢ変換部で、入力されたＹＵＶデータをＣＲＴやＬＣＤで表示できるＲＧＢデータに変換するロジックで構成されている。ＹＵＶ／ＲＧＢ変換係数は、外部Ｉ／Ｆ部（２０１）、内部バスを介して外部より操作することができる。
２１０はＭＵＸ部で、２Ｌｉｎｅバッファ部（２０５）、ＹＵＶ／ＲＧＢ変換部（２０９）からのＲＧＢデータを合成したり、選択して出力するブロックで、どの座標値の範囲に対して、どのように出力するかを、外部Ｉ／Ｆ部（２０１）、内部バスを介して外部より操作することができる。
２１１はＣＲＴ出力部で、アナログＣＲＴに出力する変換を行うロジックである。
２１２はＬＣＤ出力部で、ＬＣＤに出力する変換を行うロジックで、ＴＭＤＳ方式、ＬＶＤＳ方式、直接のデジタルＲＧＢ方式等からロジック（ＬＳＩの外部端子等）で選択して出力できる。
【００２９】
ここで、同図を用いて、表示コントローラ（１１５）の動作を説明する。
まず、情報処理装置からのＬＣＤ用表示を、そのまま出力する場合は、電源制御ＩＣ（１０５）より、外部Ｉ／Ｆ（２０１）、内部バスを介して、各ブロックに命令が届き、情報処理装置機能ブロックからのデータは、ＬＣＤ  Ｉ／Ｆ部（２０３）で、一旦ＲＧＢデジタルデータに変換され、ＲＧＢ  Ｘ方向縮小部（２０４）では縮小せず、２Ｌｉｎｅバッファ部（２０５）をそのまま通過し、ＭＵＸ部（２１０）で、すべての座標値で２Ｌｉｎｅバッファ部（２０５）からの信号を選択してＬＣＤ出力部（２１２）に出力し、ＬＣＤ出力部（２１２）より、ＬＣＤへ出力される。
【００３０】
また、ＮＴＳＣデコーダ（１１２）からのデータを全画面でＬＣＤに表示する場合は、上記と同様に電源制御ＩＣ（１０５）より、外部Ｉ／Ｆ（２０１）、内部バスを介して、各ブロックに命令が届き、ＮＴＳＣデコーダ（１１２）からのデータは、ＮＴＳＣ入力＆メモリＩ／Ｆ部（２０６）にて、ＹＵＶデータを内部メモリ（２０７）に書き込み、解像度変換に入力する垂直同期、水平同期に合せて、内部メモリ（２０７）よりデータを読み出し、解像度変換部（２０８）に出力する。
解像度変換部（２０８）は、入力される６４０×２４０のデータに解像度変換処理を行い、ＹＵＶ／ＲＧＢ変換部（２０９）に出力し、ＹＵＶ／ＲＧＢ変換が行われ、ＭＵＸ部（２１０）ですべての座標値でＹＵＶ／ＲＧＢ変換部（２０９）からの信号を選択してＬＣＤ出力部（２１２）に出力し、ＬＣＤへ出力される。
【００３１】
次に、本実施例に係るＴＶ機能を持つ情報処理装置の実施態様を例をあげて説明する。
（実施態様１）
電源ＯＮ時にＴＶ用と識別された場合、起動制御をどのようにするかを、電源制御ＩＣ（１０５）の汎用レジスタに書き込むことのできるツールを使い、設定の書き込みで行う。情報処理装置のアプリケーションとしてツールを用意しておき、ユーザに設定してもらえるようにする。
デフォルト設定を決めておくので、ユーザが意識しない場合は、デフォルト設定で起動制御される。
図４は、本発明に係る情報処理装置の電源ＯＮ時の処理手順を示すフローチャートである。
電源をＯＮする際に、ユーザにより、ＳＷ（１１８）内のどれが選択されたかを、電源制御ＩＣ（１０５）は識別する（ステップＳ１０１）。
【００３２】
識別結果がＴＶ用電源ＳＷであり（ステップＳ１０２）、起動制御がＴＶのみＯＮであれば（ステップＳ１０３）、電源制御ＩＣ（１０５）は、ＴＶ機能ブロックの電源のみを供給するように電源供給を制御し（ステップＳ１０４）、ＴＶ機能を実行する（ステップＳ１０５）。このとき、音声ＧＡＴＥ（１１４）、ＧＡＴＥ（１１６）は、情報処理機能ブロックへ信号を送らないように制御される（ａ状態）。
チャンネル選択や、音量選択は、ＳＷ（１１８）の中のＳＷ群をユーザが押下することで電源制御ＩＣ（１０５）が確認し、電源制御ＩＣ（１０５）が、ＮＴＳＣデコーダ（１１２）を介して、ＴＶチューナ（１１１）にチャンネル番号のコマンドを送りチャンネルを切替える。音量は、電源制御ＩＣ（１０５）より、ＡＭＰ部（１１３）の音量のゲインコントロールを調整するコマンドにより調整する。
ＮＴＳＣデコーダ（１１２）は、入力ソースとして、ＴＶチューナ（１１１）の他Ｖｉｄｅｏ、Ｓ−Ｖｉｄｅｏを選択することもでき、その入力ソースの管理も電源制御ＩＣ（１０５）で行っている。以下の説明で、「ＴＶ機能」とは、ＴＶチューナ（１１１）からの信号以外に、Ｖｉｄｅｏ、Ｓ−Ｖｉｄｅｏからの入力ソースも含む。
【００３３】
識別結果がＴＶ用電源ＳＷであり（ステップＳ１０２）、起動制御が情報処理機能ブロックもＯＮであれば（ステップＳ１０６）、電源制御ＩＣ（１０５）は、ＴＶ機能ブロック、情報処理機能ブロックの両方に電源供給を行い（ステップＳ１０７）、ＴＶ機能ブロックを使い、ＴＶ機能を実行する（ステップＳ１０９）。このとき、音声ＧＡＴＥ（１１４）、ＧＡＴＥ（１１６）は、情報処理装置機能ブロックへも信号を送るように制御される（ｂ状態）。
一方、識別結果が情報処理装置用電源ＳＷであれば（ステップＳ１１０）、電源制御ＩＣ（１０５）は、ＴＶ機能ブロック、情報処理装置機能ブロックの両方に電源供給を行う（ステップＳ１１１）が、情報処理装置機能ブロックの表示、音声が出力される（ステップＳ１１２）。
【００３４】
（実施態様２）
図５は、図４においてＴＶ機能が実行された後の本発明に係る情報処理装置の情報処理装置用電源ＳＷがＯＮされたときの処理手順を示すフローチャートである。
図４において、結果ａ状態のＴＶ機能実行となった場合、図５（Ａ）に示すように、ＳＷ（１１８）により（ステップＳ２０１）、情報処理装置の電源ＳＷが押下された場合（ステップＳ２０２）に、電源制御ＩＣ（１０５）が、その情報を認識すると、情報処理装置機能ブロックの電源供給を行い（ステップＳ２０３）、情報処理装置機能ブロックが起動する（ステップＳ２０４）。そして、音声ＧＡＴＥ（１１４）、ＧＡＴＥ（１１６）は、情報処理装置機能ブロックへも信号を送るように制御される。その際の表示、音声はＴＶ機能ブロックのものがそのまま出力されている（ステップＳ２０５）（ｂ状態に移行）。
また、図４において、結果ｂ状態のＴＶ機能実行となった場合、図５（Ｂ）に示すように、ＳＷ（１１８）により（ステップＳ３０１）、情報処理装置の電源ＳＷが押下された場合（ステップＳ３０２）に、電源制御ＩＣ（１０５）が、その情報を認識すると、電源制御ＩＣ（１０５）より、表示コントローラ（１１５）、ＡＭＰ部（１１３）に対して、出力切替の命令を発行し、表示コントローラ（１１５）は、ＮＴＳＣデコーダ（１１２）のデータではなく、情報装置用表示コントローラ（１０６）からのデータを表示するようになり、ＡＭＰ部（１１３）は、入力ソースとして、サウンドＬＳＩ（１０９）からの信号を使い、増幅してスピーカ（１２０）に出力する（ステップＳ３０３）。
【００３５】
（実施態様３）
情報処理装置として起動後に、ＴＶ用電源ＯＮボタンを押下した場合の制御をどのようにするかをあらかじめ、設定するアプリケーションでユーザに設定できるようにし、記憶装置部（１０８）等に格納しておく。
格納するのは、電源ＯＦＦ時を考えると記憶装置部（１０８）になるが、電源ＯＮ時は、もっと高速に扱えるメモリ等の部分に格納していても良い。また、デフォルト設定を決めておくので、ユーザが意識しない場合は、デフォルト設定で制御される。
【００３６】
図６は、本発明に係る装置が、情報処理装置として動作している場合、ＴＶ用ＳＷが押下されたときの、処理手順を示すフローチャートである。
情報処理装置として動作している際に、ＴＶ用ＳＷボタンが押下されると（ステップＳ４０１）、電源制御ＩＣ（１０５）より、ＣＨＩＰ  ＳＥＴ（１０２）を介して、ＣＰＵ（１０１）が、ＴＶ用ボタンが押下されたと認識し（ステップＳ４０２）、格納されている制御情報により（ステップＳ４０３）、ＴＶアプリケーションを起動する場合（ステップＳ４０４）は、記憶装置（１０８）より、ＴＶ表示を行うアプリケーションプログラムを、Ｍａｉｎ  Ｍｅｍｏｒｙ（１０３）に読み込み（ステップＳ４０５）、ＣＰＵ（１０１）が、プログラムにより、ＴＶチューナ（１１１）、ＮＴＳＣデコーダ（１１２）、サウンドＬＳＩ（１０９）、情報装置用表示コントローラ（１０６）、音声ＧＡＴＥ（１１４）、ＧＡＴＥ（１１６）等を、ＣＨＩＰ  ＳＥＴ（１０２）、電源制御ＩＣ（１０５）等を介して制御し、ＴＶ映像データを情報装置用表示コントローラ（１０６）に、ＴＶ音声データをサウンドＬＳＩ（１０９）に転送し、ＴＶアプリケーションが制御することで、ユーザがＴＶ映像を見ることができる（ステップＳ４０６）。
【００３７】
情報処理装置として動作している際に、ＴＶ用ＳＷボタンが押下され、電源制御ＩＣ（１０５）より、ＣＨＩＰ  ＳＥＴ（１０２）を介して、ＣＰＵ（１０１）が、ＴＶ用ＳＷボタンが押下されたと認識し、格納されている制御情報によりＴＶ機能ブロック部の映像、音声へ切替える場合は（ステップＳ４０７）、ＣＰＵ（１０１）より、ＣＨＩＰ  ＳＥＴ（１０２）、電源制御ＩＣ（１０５）を介して、表示コントローラ（１１５）、ＡＭＰ部（１１３）に対して、出力切替の命令を発行し（ステップＳ４０８）、表示コントローラ（１１５）は、情報装置用表示コントローラ（１０６）のデータではなく、ＮＴＳＣデコーダ（１１２）からのデータを表示するようになり、ＡＭＰ部（１１３）は、入力ソースとして、ＴＶチューナ部（１１１）からの音声信号を使い、増幅してスピーカ（１２０）に出力する。
実施形態３によれば、情報処理装置起動後に、ＴＶ用ボタンを操作することで、情報処理装置のアプリケーションとして、ＴＶ機能を使う場合と、ＴＶ機能部を直接動作させる場合を切り分けることで、ＴＶだけ見たいとき、ＴＶを見ながら情報処理装置を使いたいときを切替えることで、ＴＶだけ見たい場合は、ＴＶ表示による情報処理装置のＣＰＵ、バス負担を減らすことで消費電力を減らすことができる。
【００３８】
（実施態様４）
情報処理装置として起動後に、ＴＶ用電源ＯＮボタンを押下した場合に、ＴＶ機能ブロックで表示する場合の表示枠指定を指定設定できるアプリケーションを用い、ユーザに設定できるようにし、記憶装置部（１０８）等に格納しておく。指定方法としては、始点、終点のような方法を用いた矩形枠での指定や、始点と解像度の指定等の方法があるが、どのような方法を用いてもかまわない。
格納するのは、電源ＯＦＦ時を考えると記憶装置部になるが、電源ＯＮ時は、もっと高速に扱えるメモリ等の部分に格納していてもよい。また、デフォルト設定を決めておくので、ユーザが意識しない場合は、デフォルト設定で制御される。
【００３９】
図７は、本発明に係る装置が、情報処理装置として動作している場合、ＴＶ用ＳＷが押下されたときの、表示枠を指定してＴＶ画面を表示する処理手順を示すフローチャートである。
情報処理装置として動作している際に、ＴＶ用ボタンを押下され（ステップＳ５０１）、電源制御ＩＣ（１０５）より、ＣＨＩＰ  ＳＥＴ（１０２）を介してＣＰＵ（１０１）が、ＴＶ用ボタンが押下されたと認識し（ステップＳ５０３）、格納されている制御情報によりＴＶ機能ブロック部の映像、音声へ切替え、指定枠の指定が設定されている場合（ステップＳ５０４）は、ＣＰＵ（１０１）より、ＣＨＩＰ  ＳＥＴ（１０２）、電源制御ＩＣ（１０５）を介して表示コントローラ（１１５）、ＡＭＰ部（１１３）に対して、指定枠ＴＶ表示の命令を発行し、表示コントローラ（１１５）は、情報装置用表示コントローラ（１０６）のデータ内の指定された枠に、ＮＴＳＣデコーダ（１１２）からのデータを表示するようになり、ＡＭＰ部（１１３）は、入力ソースとして、サウンドＬＳＩ（１０９）、ＴＶチューナ部（３１１）からの両方の信号をＯＲし、増幅してスピーカ（１２０）に出力する（ステップＳ５０５）。
【００４０】
表示コントローラ（１１５）内部では、電源制御ＩＣ（１０５）より、外部Ｉ／Ｆ（２０１）、内部バスを介して、各ブロックに指定枠ＴＶ表示の命令と指定枠の情報が届き、ＭＵＸ部（２１０）で指定された枠の座標値以外は２Ｌｉｎｅバッファ部（２０５）からの信号を選択してＬＣＤ出力部（２１２）に出力し、指定された枠の座標値の場合はＹＵＶ／ＲＧＢ変換部（２０９）からの信号を選択してＬＣＤ出力部（２１２）に出力し、ＬＣＤ出力部（２１２）より、ＬＣＤへ出力される。
実施態様４によれば、指定枠のみにＴＶ表示をすることで、指定枠以外には情報処理装置の画面を表示することができ、ユーザの利便性が増す。
【００４１】
（実施態様５）
図８は、本発明に係る装置が、情報処理装置として動作している場合、ＴＶ用ＳＷが押下されたときの、画面の半分にＴＶ画面を表示する処理手順を示すフローチャートである。
情報処理装置として動作している際に、ＴＶ用ボタンが押下され（ステップＳ６０１）、電源制御ＩＣ（１０５）より、ＣＨＩＰ  ＳＥＴ（１０２）を介して、ＣＰＵ（１０１）がＴＶ用ボタンが押下されたと認識し、格納されている制御情報により（ステップＳ６０３）、ＴＶ画面半分、情報処理装置画面半分が設定されている場合（ステップＳ６０４）は、ＣＰＵ（１０１）より、ＣＨＩＰ  ＳＥＴ（１０２）、電源制御ＩＣ（１０５）を介して、表示コントローラ（１１５）、ＡＭＰ部（１１３）に対して、ＴＶ画面半分、情報処理装置画面半分の命令を発行し、表示コントローラ（１１５）は、情報装置用表示コントローラ（１０６）のデータをＸ軸方向１／２に縮小し、かつ、残りの部分にＮＴＳＣデコーダ（１１２）からのデータを解像度変換して表示するようになり、ＡＭＰ部（１１３）は、入力ソースとして、サウンドＬＳＩ（１０９）、ＴＶチューナ部（１１１）からの両方の信号をＯＲ出力し、増幅してスピーカ（１２０）に出力する（ステップＳ６０５）。
【００４２】
表示コントローラ（１１５）内部では、電源制御ＩＣ（１０５）より、外部Ｉ／Ｆ（２０１）、内部バスを介して、各ブロックにＴＶ画面半分、情報処理装置画面半分の命令が届き、ＭＵＸ部（２１０）でＸ軸方向座標の小さい方半分には、２Ｌｉｎｅバッファ部（２０５）からの１／２縮小された信号を選択してＬＣＤ出力部（２１２）に出力し、Ｘ軸方向座標の大きい方半分には、ＹＵＶ／ＲＧＢ変換部（２０９）からの信号を選択してＬＣＤ出力部（２１２）に出力し、ＬＣＤ出力部（２１２）より、ＬＣＤへ出力される。説明では、Ｘ方向の座標値の小さい方を情報処理装置機能をブロックからの表示としたが、逆でも構わない。
実施態様５によれば、画面の半分にＴＶ表示をすることで、残りの半分に情報処理装置の画面を表示することができ、情報処理装置の画面全部が表示されることになり、ユーザの利便性が増す。
【００４３】
（実施態様６）
情報処理装置として起動後に、ＴＶ用電源ＯＮボタンを押下した場合に、ＴＶ機能ブロックで表示する場合の表示方法の選択、表示枠指定、表示位置指定を設定できるアプリケーションを用いて、ユーザに設定できるようにし、記憶装置部（１０８）等に格納しておく。表示方法の選択は、全画面切替えてＴＶ表示、指定枠内にＴＶ画面表示、半分ＴＶ画面、半分情報処理装置画面があり、選択はどのような方法を用いても構わない。
この場合、格納するのは、電源ＯＦＦ時のことを考えると記憶装置部（１０８）が適しているが、電源ＯＮ時は、もっと高速に扱えるメモリ等の部分に格納していてもよい。
また、デフォルト設定を決めておくので、ユーザが意識しない場合は、デフォルト設定で制御されている。
実施態様６によれば、前記画面全面にＴＶ表示、指定枠のみにＴＶ表示、画面の半分にＴＶ表示をユーザの簡単な操作で切り替えることができ、ユーザが利用する際に適した利便性を簡単に選択できる。
【００４４】
（実施態様７）
Ｐｏｗｅｒ  ＯＦＦ状態でＴＶ用電源ＯＮボタンを押下した場合の制御をどのようにするかをあらかじめ、設定するアプリケーションも用い、ユーザに設定できるようにし、電源制御ＩＣ（１０５）のレジスタ等に格納しておく。
デフォルト設定を決めておくので、ユーザが意識しない場合は、デフォルト設定で制御される。
電源制御ＩＣ（１０５）は、Ｐｏｗｅｒ  ＯＦＦ状態で視認装置（１２１）に対してＴＶ電源ＯＮボタンの押下により、どの制御をするのかをユーザに知らせる。
視認装置（１２１）として、３色ＬＥＤを用い、緑の色でＴＶ機能ブロックのみＯＮ、赤色で情報処理装置機器ブロックとＴＶ機能ブロックの両方ＯＮしてＴＶ機能ブロックでのＴＶ表示というような方法で実現できる。
起動については、今までの説明の通りとなる。
【００４５】
（実施態様８）
情報処理装置の機能が起動した状態で、ＴＶ用電源ＯＮボタンを押下した場合の制御をどのようにするかをあらかじめ、設定するアプリケーションでユーザに設定できるようにし、記憶装置（１０８）等に格納しておく。
格納するのは、電源ＯＦＦ時のことを考えると記憶装置部（１０８）になるが、電源ＯＮ時は、もっと高速に扱えるメモリ等の部分に格納していてもよい。
また、デフォルト設定を決めておくので、ユーザが意識しない場合は、デフォルト設定で制御される。
ＣＰＵ（１０１）は、格納された情報をＣＨＩＰ  ＳＥＴ（１０２）を介して電源制御ＩＣ（１０５）にコマンドとして送り、電源制御ＩＣ（１０５）は、視認装置（１２１）に対してＴＶ電源ＯＮボタンの押下により、どの制御をするのかをユーザに知らせる。
【００４６】
視認装置（１２１）として、多色ＬＥＤ（例えば、５色ＬＥＤ）を用い、１の色でＴＶアプリケーションの起動、２の色でＴＶ機能ブロックによるＴＶ表示（全画面）、３の色でＴＶ機能ブロックによるＴＶ表示（指定枠内のみ表示画面）、４の色でＴＶ機能ブロックによるＴＶ表示（半分ＴＶ／半分情報処理装置表示画面）、５の色でＴＶ機能ブロックによるＴＶ表示（全画面、指定枠内のみ表示画面、半分ＴＶ／半分情報処理装置表示画面の順次切替え）というような方法で実現できる。多色ＬＥＤの変わりに３色ＬＥＤを２つ用いることでも、実現できる。
ボタン押下後の動作については、既述の通りである。
実施態様８によれば、ＴＶボタン操作で、情報処理装置でのＴＶ表示がどのような処理になるのかをユーザに知らせることにより、ユーザの利便性が増す。
【００４７】
（実施態様９）
電源制御ＩＣ（１０５）は、Ｐｏｗｅｒ  ＯＦＦ状態で視認装置（１２１）に対して電源ＯＮボタンの押下により、どの制御をするのかをユーザに知らせる。また、ＳＷ（１１８）の中の機能選択ボタンが押下されることにより、電源制御ＩＣ（１０５）は、どの制御を行うかを内部的に切替え、かつ、その情報を視認装置（１２１）によって表示し、ユーザに知らせる。
視認装置（１２１）としては、３色ＬＥＤを用い、緑の色でＴＶ機能ブロックのみＯＮ、赤色で情報処理装置機器ブロックとＴＶ機能ブロックの両方ＯＮしてＴＶ機能ブロックでのＴＶ表示、橙色で情報処理装置として電源ＯＮというような方法で実現できる。
設定された状態での起動は、前記説明のとおりである。
【００４８】
（実施態様１０）
情報処理装置の機能が起動した状態で、ＴＶ機能を制御するボタンを押下した場合の制御を、どのようにするかを、電源制御ＩＣ（１０５）は、視認装置（１２１）を制御することでユーザに知らせる。また、ＳＷ（１１８）の中のＴＶ機能内容選択ボタンが押下されると、電源制御ＩＣ（１０５）は、ＣＰＵ（１０１）に対してボタンが押下されたことを、ＣＨＩＰ  ＳＥＴ（１０２）を介して、送信し、どの制御を行うかを、ＣＰＵ（１０１）が、電源制御ＩＣ（１０５）に対してコマンドを送信し、かつ、その情報を視認装置（１２１）によって、ユーザに知らせる。
【００４９】
視認装置（１２１）として、多色ＬＥＤ（例えば、５色）を用い、１の色でＴＶアプリケーションの起動、２の色でＴＶ機能ブロックによるＴＶ表示（全画面）、３の色でＴＶ機能ブロックによるＴＶ表示（指定枠内のみ表示画面）、４の色でＴＶ機能ブロックによるＴＶ表示（半分ＴＶ／半分情報処理装置表示画面）、５の色でＴＶ機能ブロックによるＴＶ表示（全画面、指定枠内のみ表示画面、半分ＴＶ／半分情報処理装置表示画面の順次切替え）というような方法で実現できる。多色ＬＥＤの代わりに３色ＬＥＤを２つ用いることでも、実現できるのは云うまでもない。
ＴＶ機能を制御するボタン押下後の動作については、前記した説明通りである。
実施態様１０によれば、ＴＶ機能を制御する際に、ＴＶ機能をどのような選択にするかを選択することができ、かつ、どの選択かをユーザに知らせることにより、ユーザの利便性が増す。
【００５０】
（実施態様１１）
図９は、本実施例に係る装置が、ＴＶ機能ブロックのみでＴＶ機能を実行しているときのチャンネル、音量、入力ソース情報の処理手順を示すフローチャート図（図９（Ａ））である。そして、その後、情報処理装置のＴＶアプリケーションが起動されたときのチャンネル、音量、入力ソース情報の処理手順を示すフローチャート図（図９（Ｂ））ある。
図９（Ａ）に示すように、ＴＶ機能ブロックのみでＴＶ機能を実行しているときのチャンネル、音量、入力ソースの情報は、電源制御ＩＣ（１０５）のレジスタ等にあり、ＳＷ（１１８）の中のＳＷ群をユーザが押下する（ステップＳ７０１）ことで、電源制御ＩＣ（１０５）が認識し、電源制御ＩＣ（１０５）が、ＮＴＳＣデコーダ（１１２）を介して、ＴＶチューナ（１１１）にチャンネル番号のコマンドを送り、チャンネルを切替える。また、音量は、電源制御ＩＣ（１０５）より、ＡＭＰ部（１１３）の音量のゲインコントロールを調整するコマンドにより調整する（ステップＳ７０２）。そして、入力ソースは、電源制御ＩＣ（１０５）が、ＮＴＳＣデコーダ（１１２）を制御することで調整される。
この際、調整した情報を、電源制御ＩＣ（１０５）のレジスタに残るようにしておく（ステップＳ７０３）（Ａ状態）。
【００５１】
この後、情報処理装置のＴＶアプリケーションが起動された際（ステップＳ８０１）に、図９（Ｂ）に示すように、電源制御ＩＣ（１０５）内のチャンネル、音量、入力ソース情報を、ＣＨＩＰ  ＳＥＴ（１０２）を介して読み込み（ステップＳ８０２）、アプリケーションが認識し、アプリケーションの管理するチャンネル、音量、入力ソース情報を格納している部分（動作しているときは、プログラムが管理するメモリ部分）に書き込む（ステップＳ８０３）ことで、チャンネル、音量、入力ソースを一致させる（Ｂ状態）。
【００５２】
（実施態様１２）
図１０，図１１は、本実施例に係る装置が、情報処理装置のＴＶアプリケーションが起動された状態で、チャンネル、音量、入力ソースの変更があった場合の処理手順を示すフローチャート図である。図１０は、その時の電源制御ＩＣの処理を示し、図１１は、ＣＰＵの処理を示す。
アプリケーション動作中は、ＳＷ（１１８）の中のＳＷ群をユーザが押下する（ステップＳ９０１）ことで、電源制御ＩＣ（１０５）が認識し、ＣＨＩＰ  ＳＥＴ（１０２）を介して、ＣＰＵ（１０１）にチャンネル、音量、入力ソースが変更されたことを知らせる場合（ステップＳ９０２、Ｓ９０３）と、入力装置（１１７）を用い、その他回路（１１０）、ＣＨＩＰ  ＳＥＴ（１０２）を介して、ＣＰＵ（１０１）にチャンネル、音量、入力ソースが変更されたことを知らせる場合（ステップＳ９０４）があり、その両方に対して、アプリケーションは、アプリケーションの管理するチャンネル、音量、入力ソース等の情報を格納している部分の情報を変更する（ステップＳ９０５）。
【００５３】
アプリケーション動作中に、ＴＶ機能ブロックでのＴＶ機能実行に変わった場合（ステップＳ９０６）は、アプリケーションの管理するチャンネル、音量、入力ソース等の情報を格納している部分の情報を、ＣＰＵ（１０１）よりＣＨＩＰＳＥＴ（１０２）を介して、電源制御ＩＣ（１０５）のレジスタに書き込みを行い、再び一致させる（ステップＳ９０７）（Ｃ状態）。
その際に、チャンネル、音量、入力ソースが変更されると、図９（Ａ）に示すＡ状態の働きとなる。
そして、再び、ＴＶ機能実行が、アプリケーションに移った場合は、図９（Ｂ）に示すＢ状態の動きとなる。
アプリケーションが終了する際で、ＴＶ機能実行をアプリケーションが行っている場合（ステップＳ９０８）は、アプリケーションの管理するチャンネル、音量、入力ソース情報を格納している部分の情報を、ＣＰＵ（１０１）よりＣＨＩＰ  ＳＥＴ（１０２）を介して電源制御ＩＣ（１０５）のレジスタに書き込みを行い、再び一致させてから終了する（ステップＳ９０７）。
また、アプリケーションが終了する際で、ＴＶ機能実行をＴＶ機能ブロックが行っている場合は、アプリケーションの管理するチャンネル、音量、入力ソース情報を格納している部分の情報を、電源制御ＩＣ（１０５）に書き込まずに終了する。
【００５４】
（実施例２）
図１２は、本発明に係るＴＶ機能をもつ情報処理装置の他の実施例の構成を示すブロック図である。
本実施例は、情報処理装置機能ブロックの中にも、別にＴＶチューナ及び、ＮＴＳＣデコーダを設けた点を特徴とし、各ブロックは、具体的に、以下のような内容からなる。
３０１はＣＰＵ、３０２はＣＨＩＰ  ＳＥＴ、３０３はＭａｉｎ  Ｍｅｍｏｒｙ、３０４はＢＩＯＳ、３０５は電源制御ＩＣである。
３０６は表示コントローラで、情報処理装置が表示する際の制御ロジックで、ＮＴＳＣデコーダからのデジタルデータを直接入力できる。
３０７はＶｉｄｅｏ  Ｍｅｍｏｒｙで、表示コントローラ（３０６）が管理するメモリで、表示データが記憶されている。このメモリは、表示コントローラ（３０６）に内蔵されているものや、Ｍａｉｎ  Ｍｅｍｏｒｙ（３０３）と共用されている場合もある。
【００５５】
３０８は記憶装置、３０９はサウンドＬＳＩ、３１０はその他回路、
３１１はＴＶチューナ１で、アンテナ入力より選択された特定の周波数部分をＶｉｄｅｏ信号と音声信号に分けて出力する。
３１２はＮＴＳＣデコーダ１で、ＴＶチューナより入力されるＶｉｄｅｏ信号を情報処理装置で扱えるデジタルデータに変換する。
、３１３はＡＭＰ部、３１４は音声ＧＡＴＥ、３１５は表示装置である。
３１６はＧＡＴＥで、ＮＴＳＣデコーダからの映像データを表示コントローラ（３０６）に出力するかどうかを制御する。
３１７は入力装置、３１８はＳＷ、３１９はスピーカ、３２０は視認装置である。
３２１はＴＶチューナ２で、アンテナ入力より選択された特定の周波数部分をＶｉｄｅｏ信号と音声信号に分けて出力する。
３２２はＮＴＳＣデコーダ２で、ＴＶチューナより入力されるＶｉｄｅｏ信号を情報処理装置で扱えるデジタルデータに変換する。
【００５６】
次に、本実施例に係るＴＶ機能をもつ情報処理装置の実施の態様を説明する。（実施態様１３）
情報処理装置の動作状態で、ＴＶ表示を行うアプリケーションが動作、もしくは入力装置（３１７）を使って起動され、ＡＤＡＭＳ／ＢＩＴＣＡＳＴ等のＴＶ放送に重畳されたデータ放送の受信を、入力装置（３１７）を用いてユーザが選択するか、もしくは起動時のチャンネル選択がそのようになっている場合に、ＣＰＵ（３０１）は、ＴＶ表示をＴＶチューナ２（３２１）、及びＮＴＳＣデコーダ２（３２２）をＣＨＩＰ  ＳＥＴ（３０２）、電源制御ＩＣ（３０５）を介して制御し、チャンネル切替え等を行うようにし、かつ、同様にＣＨＩＰ  ＳＥＴ（３０２）、電源制御ＩＣ（３０５）を介して、ＧＡＴＥ（３１６）を制御して、ＮＴＳＣデコーダ２（３２２）からのＴＶ表示映像データを表示コントローラ（３０６）に出力するように制御する。
【００５７】
ＣＰＵ（３０１）は、ＴＶチューナ１（３１１）、及びＮＴＳＣデコーダ１（３１２）を、重畳されたデータの受信専用に割り当てるようにＣＨＩＰ  ＳＥＴ（３０２）を介し制御する。
また、ＣＰＵ（３０１）は、ＣＨＩＰ  ＳＥＴ（３０２）、電源制御ＩＣ（３０５）を介して、音声ＧＡＴＥ（３１４）を制御し、ＴＶチューナ１（３１１）からの音声データをサウンドＬＳＩ（３０９）に出力せず、ＴＶチューナ２（３２１）からの音声信号を出力するように制御する。
【００５８】
これにより、重畳されたデータは、常時、ＴＶチューナ１（３１１）、ＮＴＳＣデコーダ１（３１２）、ＣＨＩＰ  ＳＥＴ（３０２）を介して、ＣＰＵ（３０１）及びＣＰＵ（３０１）が管理するＭａｉｎ  Ｍｅｍｏｒｙ（３０３）に転送され、復号化が行われる。
また、他のＴＶ番組は、ＴＶチューナ２（３２１）、ＮＴＳＣデコーダ２（３２２）、ＧＡＴＥ（３１６）を介して、映像データが、表示コントローラ（３０６）への転送が行われて表示され、ＴＶチューナ２（３２１）、音声ＧＡＴＥ（３１４）、サウンドＬＳＩ（３０９）を介して、ＡＭＰ部（３１３）に音声データが送られ、音声が出力され、他番組のＴＶの視聴が可能になる。
実施態様１３によれば、ＡＤＡＭＳ／ＢＩＴＣＡＳＴ等は、一定時間重畳された情報を受信しないと、意味ある情報にならないため、ユーザが、ＡＤＡＭＳ／ＢＩＴＣＡＳＴ等の重畳された情報を受信しながら、その他のチャンネルのＴＶ番組を視認することができ、ユーザの利便性が増す。
【００６０】
【発明の効果】
請求項１の発明によれば、ＴＶ用で電源ＯＮすることにより、情報処理装置用電源もＯＮする場合は、ＯＳ起動し、アプリケーションによりＴＶ機能が起動するのを待たずにＴＶを見ることができ、また、情報処理部の電源がＯＦＦの場合は、消費電力を減らすことができる。
更に、ＴＶ用電源でＯＮし、ＴＶ表示を行っている場合に、請求項１により、情報処理装置部の電源が供給されている場合は、簡単に表示を情報処理装置に切替えることができ、また、ＴＶのみ表示状態で情報処理部がＯＦＦの状態からユーザが情報処理装置を使いたくなってもそのまま起動することができる。
【００６５】
更に、請求項２の発明によれば、ＴＶボタン操作で、情報処理装置がどのような状態で起動するかが、ユーザに知らせることにより、ユーザの利便性が増す。
【００６７】
更に、請求項３の発明によれば、電源ＯＮボタンを操作する際に、電源ＯＮにより、情報処理装置のみＯＮ／ＴＶのみＯＮ／ＴＶ  ＯＮ表示、情報処理装置ＯＮ等を切替えることができ、かつ、どの選択かをユーザに知らせることにより、ユーザの利便性が増す。
【００７０】
更に、請求項４の発明によれば、ＴＶ機能部で設定したチャンネル、音量、入力ソースが、情報処理装置のアプリケーションでもそのまま利用でき、また、情報処理装置のアプリケーションで設定したチャンネル、音量、入力ソースが、ＴＶ機能部でそのまま利用できるため、ユーザの利便性が増す。
【図面の簡単な説明】
【図１】本発明のＴＶ機能をもつ情報処理装置の一実施例の構成を示すブロック図である。
【図２】図１中の電源制御ＩＣの詳細な構成を示すブロック図である。
【図３】図１中の、表示コントローラの詳細な構成を示すブロック図である。
【図４】図１の実施例に係る情報処理装置の電源ＯＮ時の処理手順を示すフローチャートである。
【図５】図４においてＴＶ機能が実行された後、情報処理装置用電源ＳＷがＯＮされたときの処理手順を示すフローチャートである。
【図６】図１の実施例に係る装置が、情報処理装置として動作している場合、ＴＶ用ＳＷが押下されたときの、処理手順を示すフローチャートである。
【図７】図１の実施例に係る装置が、情報処理装置として動作している場合、ＴＶ用ＳＷが押下されたとき、表示枠を指定してＴＶ画面を表示する処理手順を示すフローチャートである。
【図８】図１の実施例に係る装置が、情報処理装置として動作している場合、ＴＶ用ＳＷが押下されたとき、画面の半分にＴＶ画面を表示する処理手順を示すフローチャートである。
【図９】図１の実施例に係る装置が、ＴＶ機能ブロックのみでＴＶ機能を実行しているとき、そして、その後、情報処理装置のＴＶアプリケーションが起動されたときのチャンネル、音量、入力ソース情報の処理手順を示すフローチャート図である。
【図１０】図１の実施例に係る装置が、情報処理装置のＴＶアプリケーションが起動された状態で、チャンネル、音量、入力ソースの変更があった場合の電源制御ＩＣの処理手順を示すフローチャート図である。
【図１１】図１の実施例に係る装置が、情報処理装置のＴＶアプリケーションが起動された状態で、チャンネル、音量、入力ソースの変更があった場合のＣＰＵの処理手順を示すフローチャート図である。
【図１２】図１の実施例に係るＴＶ機能をもつ情報処理装置の他の実施例の構成を示すブロック図である。
【図１３】従来のＴＶ機能を特定アプリケーションとして機能させる情報処理装置の構成を示すブロック図である。
【図１４】従来のＴＶ機能を情報処理装置とは、別々に機能させる情報処理装置の構成を示すブロック図である。
【符号の説明】
１０１，３０１…ＣＰＵ、１０２，３０２…ＣＨＩＰ  ＳＥＴ、１０３，３０３…Ｍａｉｎ  Ｍｅｍｏｒｙ、１０４，３０４…ＢＩＯＳ、１０５，３０５…電源制御ＩＣ、１０６，３０６…情報装置用表示コントローラ、１０７，３０７…Ｖｉｄｅｏ  Ｍｅｍｏｒｙ、１０８，３０８…記憶装置、１０９，３０９…サウンドＬＳＩ、１１０，３１０…その他回路、１１１，３１１，３２１…ＴＶチューナ、１１２，３１２…ＮＴＳＣデゴーダ、１１３，３１３…ＡＭＰ部、１１４，３１４…音声ＧＡＴＥ、１１５…表示コントローラ、１１６，３１６…ＧＡＴＥ、１１７，３１７…入力装置、１１８，３１８…ＳＷ、１１９，３１５…表示装置、１２０，３１９…スピーカ、１２１，３２０…視認装置、２０１…外部Ｉ／Ｆ部、２０２…ＡＤＣ  Ｉ／Ｆ部、２０３…ＬＣＤ  Ｉ／Ｆ部、２０４…ＲＧＢＸ方向縮小部、２０５…２Ｌｉｎｅバッファ部、２０６…ＮＴＳＣ入力＆メモリＩ／Ｆ部、２０７…内部メモリ、２０８…解像度変換部、２０９…ＹＵＶ／ＲＧＢ変換部、２１０…ＭＵＸ部、２１１…ＣＲＴ出力部、２１２…ＬＣＤ出力部。
【図１】
0003617619.tif 000002
【図２】
0003617619.tif 000003
【図３】
0003617619.tif 000004
【図４】
0003617619.tif 000005
【図５】
0003617619.tif 000006
【図６】
0003617619.tif 000007
【図７】
0003617619.tif 000008
【図８】
0003617619.tif 000009
【図９】
0003617619.tif 000010
【図１０】
0003617619.tif 000011
【図１１】
0003617619.tif 000012
【図１２】
0003617619.tif 000013
【図１３】
0003617619.tif 000014
【図１４】
0003617619.tif 000015